【手続補正書】
【提出日】平成19年6月21日(2007.6.21)
【手続補正１】
【補正対象書類名】明細書
【補正対象項目名】特許請求の範囲
【補正方法】変更
【補正の内容】
【特許請求の範囲】
【請求項１】表面および該表面上にヒドロゲル材料を有する基板を備える質量分析プローブであって、ここで、該ヒドロゲル材料が、ポリマー自重の少なくとも１０倍の液体を吸収する、水に不溶性および水に膨潤性のポリマーを含み、架橋し、そして少なくとも約１０ミクロン厚であり、そして該質量分析計によって検出可能な分析物に結合するための結合官能基をさらに含む、プローブ。
【請求項２】前記基板が、ストリップまたはプレートの形態である、請求項１に記載のプローブ。
【請求項３】前記基板が、伝導性材料を含む、請求項１に記載のプローブ。
【請求項４】前記基板の前記表面が、前記ヒドロゲル材料に接着するために調整されている、請求項１に記載のプローブ。
【請求項５】前記基板の前記表面が、粗い、多孔性、または細孔性である、請求項１に記載のプローブ。
【請求項６】前記ヒドロゲル材料が、モノマーを含む溶液をガラス表面上に被覆することによって該ガラス表面上でインサイチュで重合され、ここで、該モノマーが、結合官能基を提供するために前官能基化される、請求項１に記載のプローブ。
【請求項７】前記ヒドロゲル材料が、不連続パターンの形態である、請求項１に記載のプローブ。
【請求項８】前記ヒドロゲル材料が、連続的であり、そして１つ以上の結合官能基の一次元または二次元の勾配を有する、請求項１に記載のプローブ。
【請求項９】異なる結合官能基を含む複数の異なるハイドロゲル材料が、前記基板の前記表面上にある、請求項１に記載のプローブ。
【請求項１０】前記ヒドロゲル材料が、ホモポリマー、コポリマー、またはブレンドされたポリマーである、請求項１に記載のプローブ。
【請求項１１】前記ヒドロゲル材料が、置換アクリルアミドモノマー、置換アクリレートモノマー、またはこれらの誘導体から誘導される、請求項１に記載のプローブ。
【請求項１２】前記結合官能基が、エポキシドおよびカルボニルイミダゾールからなる群から選択される反応性基である、請求項１に記載のプローブ。
【請求項１３】前記ヒドロゲル材料が、セルロースまたはデキストランを含む、請求項１に記載のプローブ。
【請求項１４】前記表面が、実質的に平滑である、請求項１に記載のプローブ。
【請求項１５】前記基板が、絶縁材料を含む、請求項１に記載のプローブ。
【請求項１６】前記基板の前記表面が、カップリング剤で調整され、そして前記ヒドロゲル材料が、該カップリング剤と共有結合性相互作用を介して該表面に接着する、請求項１に記載のプローブ。
【請求項１７】前記ヒドロゲル材料が、３−（メタクリロイルアミノ）プロピルトリメチルアンモニウムクロリドモノマーから誘導される、請求項１に記載のプローブ。
【請求項１８】前記ヒドロゲル材料が、２−アクリルアミドグリコール酸モノマーから誘導される、請求項１に記載のプローブ。
【請求項１９】前記ヒドロゲル材料が、Ｎ−（アクリルアミドエチル）エチレンジアミンＮ，Ｎ’，Ｎ’−三酢酸モノマーから誘導される、請求項１に記載のプローブ。
【請求項２０】請求項１に記載のプローブであって、ここで、前記結合官能基が、塩で促進される相互作用、親水性相互作用、静電相互作用、配位性相互作用、共有結合性相互作用、酵素部位相互作用、可逆的共有結合性相互作用、非可逆的共有結合性相互作用、糖タンパク質相互作用、生体特異的相互作用、またはこれらの組合わせによって分析物を誘引する、プローブ。
【請求項２１】請求項１に記載のプローブであって、ここで、前記ヒドロゲル材料の前記結合官能基が、カルボキシル基、スルホネート基、ホスフェート基、アンモニウム基、親水性基、疎水性基、反応性基、金属キレート化基、チオエーテル基、ビオチン基、ボロネート基、色素基、コレステロール基、およびこれらの誘導体からなる群から選択される、プローブ。
【請求項２２】請求項２１に記載のプローブであって、ここで、前記結合官能基がカルボキシル基から成り、そして前記ヒドロゲル材料が、（メタ）アクリル酸、２−カルボキシエチルアクリレート、Ｎ−アクリロイルアミノヘキサン酸、Ｎ−カルボキシメチルアクリルアミド、２−アクリルアミドグリコール酸、およびこれらの誘導体からなる群から選択されるモノマーから誘導される、プローブ。
【請求項２３】請求項２１に記載のプローブであって、ここで、前記結合官能基がスルホネート基から成り、そして前記ヒドロゲル材料が、アクリルアミドメチル−プロパンスルホン酸モノマーまたはこれらの誘導体から誘導される、プローブ。
【請求項２４】請求項２１に記載のプローブであって、ここで、前記結合官能基がホスフェート基から成り、そして前記ヒドロゲル材料がＮ−ホスホエチルアクリルアミドモノマーまたはこれらの誘導体から誘導される、プローブ。
【請求項２５】請求項２１に記載のプローブであって、ここで、前記結合官能基がアンモニウム基から成り、そして前記ヒドロゲル材料が、トリメチルアミノエチルメタクリレート、ジエチルアミノエチルメタクリレート、ジエチルアミノエチルアクリルアミド、ジエチルアミノエチルメタクリルアミド、ジエチルアミノプロピルメタクリルアミド、アミノプロピルアクリルアミド、３−（メタクリロイルアミノ）プロピルトリメチルアンモニウムクロリド、２−アミノエチルメタクリレート、Ｎ−（３−アミノプロピル）メタクリルアミド、２−（ｔ−ブチルアミノ）エチルメタクリレート、２−（Ｎ，Ｎ−ジメチルアミノ）エチル（メタ）アクリレート、Ｎ−（２−（Ｎ，Ｎ−ジメチルアミノ））エチル（メタ）アクリルアミド、Ｎ−（３−（Ｎ，Ｎ−ジメチルアミノ））プロピルメタクリルアミド、２−（メタ）アクリロイルオキシエチルトリメチルアンモニウムクロリド、３−メタクリロイルオキシ−２−ヒドロキシプロピルトリメチルアンモニウムクロリド、（２−アクリロイルオキシエチル）（４−ベンゾイルベンジル）ジメチルアンモニウムブロミド、２−ビニルピリジン、４−ビニルピリジン、ビニルイミダゾール、およびこれらの誘導体からなる群から選択されるモノマーから誘導される、プローブ。
【請求項２６】請求項２１に記載のプローブであって、ここで、前記結合官能基が親水性基から成り、そして前記ヒドロゲル材料が、Ｎ−（メタ）アクリロイルトリス（ヒドロキシメチル）メチルアミン、ヒドロキシエチルアクリルアミド、ヒドロキシプロピルメタクリルアミド、Ｎ−アクリルアミド−１−デオキシソルビトール、ヒドロキシエチル（メタ）アクリレート、ヒドロキシプロピルアクリレート、ヒドロキシフェニルメタクリレート、ポリエチレングリコールモノメタクリレート、ポリエチレングリコールジメタクリレート、アクリルアミド、グリセロールモノ（メタ）アクリレート、２−ヒドロキシプロピルアクリレート、４−ヒドロキシブチルメタクリレート、２−メタクリロキシエチルグルコシド、ポリ（エチレングリコール）モノメチルエーテルモノメタクリレート、ビニル４−ヒドロキシブチルエーテル、およびこれらの誘導体からなる群から選択されるモノマーから誘導される、プローブ。
【請求項２７】請求項２１に記載のプローブであって、ここで、前記結合官能基が疎水性基から成り、そして前記ヒドロゲル材料が、Ｎ，Ｎ−ジメチルアクリルアミド、Ｎ，Ｎ−ジエチル（メタ）アクリルアミド、Ｎ−メチルメタクリルアミド、Ｎ−エチルメタクリルアミド、Ｎ−プロピルアクリルアミド、Ｎ−ブチルアクリルアミド、Ｎ−オクチル（メタ）アクリルアミド、Ｎ−ドデシルメタクリルアミド、Ｎ−オクタデシルアクリルアミド、プロピル（メタ）アクリレート、デシル（メタ）アクリレート、ステアリル（メタ）アクリルアミド、オクチル−トリフェニルメチルアクリルアミド、ブチル−トリフェニルメチルアクリルアミド、オクタデシル−トリフェニルメチルアクリルアミド、フェニル−トリフェニルメチルアクリルアミド、ベンジル−トリフェニルメチルアクリルアミド、およびこれらの誘導体からなる群から選択されるモノマーから誘導される、プローブ。
【請求項２８】請求項２１に記載のプローブであって、ここで、前記結合官能基が金属キレート化基から成り、そして前記ヒドロゲル材料が、Ｎ−（３−Ｎ，Ｎ−ビスカルボキシメチルアミノ）プロピルメタクリルアミド、５−メタクリルアミド−２−（Ｎ，Ｎ−ビスカルボキシメチルアミノ）ペンタン酸、Ｎ−（アクリルアミドエチル）エチレンジアミンＮ，Ｎ’，Ｎ’−三酢酸、およびこれらの誘導体からなる群から選択されるモノマーから誘導される、プローブ。
【請求項２９】請求項２１に記載のプローブであって、ここで、前記結合官能基が反応性基から成り、そして前記ヒドロゲル材料が、グリシジルアクリレート、アクリロイルクロリド、グリシジル（メタ）アクリレート、（メタ）アクリロイルクロリド、Ｎ−アクリロキシスクシンイミド、ビニルアズラクトン、アクリルアミドプロピルピリジルジスルフィド、Ｎ−（アクリルアミドプロピル）マレイミド、ビス−エポキシラン化合物で活性化されたアクリルアミドデオキシソルビトール、アリルクロロホルメート、（メタ）アクリル酸無水物、アクロレイン、アリルコハク酸無水物、無水シトラコン酸、アリルグリシジルエーテル、およびこれらの誘導体からなる群から選択されるモノマーから誘導される、プローブ。
【請求項３０】請求項２１に記載のプローブであって、ここで、前記結合官能基がチオエーテル基から成り、そして前記ヒドロゲル材料が、２−ヒドロキシ−３−メルカプトピリジルプロピル（メタクリレート）、２−（２−（３−（メタ）アクリロキシエトキシ）エタンスルホニル）エチルスルファニルエタノール、およびこれらの誘導体からなる群から選択される親硫性モノマーから誘導される、プローブ。
【請求項３１】請求項２１に記載のプローブであって、ここで、前記結合官能基がビオチン基から成り、そして前記ヒドロゲル材料が、Ｎ−ビオチニル−３−（メタ）アクリルアミドプロピルアミンおよびこの誘導体からなる群から選択されるビオチンモノマーから誘導される、プローブ。
【請求項３２】請求項２１に記載のプローブであって、ここで、前記結合官能基がボロネート基から成り、そして前記ヒドロゲル材料が、Ｎ−（ｍ−ジヒドロキシボリル）フェニル（メタ）アクリルアミドおよびこの誘導体からなる群から選択されるボロネートモノマーから誘導される、プローブ。
【請求項３３】請求項２１に記載のプローブであって、ここで、前記結合官能基が色素基から成り、そして前記ヒドロゲル材料が、Ｎ−（Ｎ’−色素結合アミノプロピル）（メタ）アクリルアミドおよびこの誘導体からなる群から選択される色素モノマーから誘導される、プローブ。
【請求項３４】請求項２１に記載のプローブであって、ここで、前記結合官能基がコレステロール基から成り、そして前記ヒドロゲル材料が、Ｎ−コレステリル−３−（メタ）アクリルアミドプロピルアミンおよびこの誘導体からなる群から選択されるコレステロールモノマーから誘導される、プローブ。
【請求項３５】請求項２１に記載のプローブであって、ここで前記基板の前記表面が、シランベースのカップリング剤で調整され、そして前記ヒドロゲル材料が、該カップリング剤と共有結合性相互作用を介して該表面に接着する、プローブ。
【請求項３６】前記ヒドロゲルが、複数の不連続スポットにおいて前記表面に付着する、請求項１に記載のプローブ。
【請求項３７】前記カップリング剤が、シランベースのカップリング剤である、請求項１６に記載のプローブ。
【請求項３８】前記ヒドロゲルが、複数の不連続スポットにおいて前記表面に付着する、請求項１６に記載のプローブ。
【請求項３９】前記基板が、少なくとも０．５ｍｍの厚みを有する金属を含む、請求項１〜３８のいずれか１項に記載のプローブ。
【請求項４０】前記基板が、該基板を被覆する酸化ケイ素を含む、請求項３９に記載のプローブ。
【請求項４１】前記ヒドロゲル材料が、前記基板の前記表面上でインサイチュで重合される、請求項３９に記載のプローブ。
【請求項４２】前記基板が、該基板を被覆する酸化ケイ素を含む、請求項４１に記載のプローブ。